(57)【要約】【課題】電源電圧が変動する環境下でも効率的に用紙を出力することが可能な画像形成装置、搬送制御方法を提供する。【解決手段】供給される電源電圧を検出する電源電圧検出部と、検出された電源電圧が通常動作時の下限値を示す電源電圧以下であるか否か、または検出された電源電圧が通常動作時の上限値を示す電源電圧以上であるか否かを判定し、紙サイズと紙厚との組合せに基づいて、用紙搬送速度または紙間を変更して単位時間当たりの出力紙の枚数を変更するか否かを判断する紙搬送制御部と、を備える。【選択図】図５
2017097182.tif 000002
【特許請求の範囲】
【請求項１】
供給される電源電圧を検出する電源電圧検出部と、
検出された電源電圧が通常動作時の下限値を示す電源電圧以下であるか否か、または検出された電源電圧が通常動作時の上限値を示す電源電圧以上であるか否かを判定し、紙サイズと紙厚との組合せに基づいて、用紙搬送速度または紙間を変更して単位時間当たりの出力紙の枚数を変更するか否かを判断する紙搬送制御部と、
を備えることを特徴とする画像形成装置。
【請求項２】
前記紙搬送制御部は、
検出された電源電圧が前記下限値を示す電源電圧以下であると判定した場合、紙サイズと紙厚との組合せに基づいて、通常動作時の用紙搬送速度よりも遅い用紙搬送速度または通常動作時の紙間よりも長い紙間に変更して単位時間当たりの出力紙の枚数を低減させるか否かを判断する第１の判断処理と、
検出された電源電圧が前記上限値を示す電源電圧以上であると判定した場合、紙サイズと紙厚との組合せに基づいて、通常動作時の用紙搬送速度よりも速い用紙搬送速度または通常動作時の紙間よりも短い紙間に変更して単位時間当たりの出力紙の枚数を増加させるか否かを判断する第２の判断処理と、を実行する、
ことを特徴とする請求項１に記載の画像形成装置。
【請求項３】
前記紙搬送制御部は、動作停止時の閾値となる電源電圧以下の電源電圧の検知がコピーまたはプリント動作前である場合には動作を開始せず、前記検知がコピーまたはプリント動作中の場合は出力紙を所定の退避位置で停止させ、電源電圧が前記下限値を示す電源電圧以上になった場合に、再度動作を開始させる、
ことを特徴とする請求項１または２に記載の画像形成装置。
【請求項４】
前記紙搬送制御部は、コピーまたはプリント動作中の場合において、前記第１の判断処理および前記第２の判断処理を、所定の周期で判断する、
ことを特徴とする請求項３に記載の画像形成装置。
【請求項５】
前記紙搬送制御部は、コピーまたはプリントの用紙搬送速度が切り替わった場合、変更後の用紙搬送速度と現在時刻とに基づいて印刷終了時間を算出し、前記画像形成装置のオペレーションパネルまたは前記画像形成装置とネットワークを介して接続された情報処理装置の表示部に、前記印刷終了時間を表示する、
ことを特徴とする請求項１〜４のいずれか１項に記載の画像形成装置。
【請求項６】
前記紙搬送制御部は、コピーまたはプリント動作前に前記下限値を示す電源電圧以下の電源電圧が検知され、前記組合せが前記遅い用紙搬送速度または前記長い紙間となるとなる用紙サイズおよび紙厚の組合せである場合、用紙サイズを小さくまたは紙厚を薄くして通常動作時の用紙搬送速度または通常動作時の紙間で出力するか、または前記遅い用紙搬送速度または前記長い紙間のまま出力するか、をユーザに選択させる、
ことを特徴とする請求項１〜５のいずれか１項に記載の画像形成装置。
【請求項７】
前記紙搬送制御部は、コピーまたはプリント動作前に前記上限値を示す電源電圧以上の電源電圧が検知され、前記組合せが通常動作時の用紙搬送速度または通常動作時の紙間となるとなる用紙サイズおよび紙厚の組合せである場合、用紙サイズを小さくまたは紙厚を薄くして前記速い用紙搬送速度または前記短い紙間で出力するか、または通常動作時の用紙搬送速度または通常動作時の紙間のまま出力するか、をユーザに選択させる、
ことを特徴とする請求項１〜６のいずれか１項に記載の画像形成装置。
【請求項８】
前記紙搬送制御部は、ユーザの使用条件や地域条件を含む処理条件に基づいて、動作停止時の閾値となる電源電圧、通常動作時の下限値を示す電源電圧、通常動作時の上限値を示す電源電圧のそれぞれの値の設定または変更を受け付ける、
ことを特徴とする請求項１〜７のいずれか１項に記載の画像形成装置。
【請求項９】
供給される電源電圧を検出する電源電圧検出ステップと、
検出された電源電圧が通常動作時の下限値を示す電源電圧以下であるか否か、または検出された電源電圧が通常動作時の上限値を示す電源電圧以上であるか否かを判定し、紙サイズと紙厚との組合せに基づいて、用紙搬送速度または紙間を変更して単位時間当たりの出力紙の枚数を変更するか否かを判断する紙搬送ステップと、
を含むことを特徴とする搬送制御方法。
【請求項１０】
前記紙搬送ステップにおいて、
検出された電源電圧が前記下限値を示す電源電圧以下であると判定した場合、紙サイズと紙厚との組合せに基づいて、通常動作時の用紙搬送速度よりも遅い用紙搬送速度または通常動作時の紙間よりも長い紙間に変更して単位時間当たりの出力紙の枚数を低減させるか否かを判断し、
検出された電源電圧が前記上限値を示す電源電圧以上であると判定した場合、紙サイズと紙厚との組合せに基づいて、通常動作時の用紙搬送速度よりも速い用紙搬送速度または通常動作時の紙間よりも短い紙間に変更して単位時間当たりの出力紙の枚数を増加させるか否かを判断する、
ことを特徴とする請求項９に記載の搬送制御方法。
【発明の詳細な説明】
【技術分野】
【０００１】
本発明は、画像形成装置、搬送制御方法に関する。 
【背景技術】
【０００２】
電子写真方式の画像形成装置では、定着ヒータが最も電力量を消費する。単位時間当たりの出力紙の枚数、紙サイズ、紙厚などが増えることにより、定着ヒータでの消費電力も上昇する。このため、電源電圧が変動する環境下では、電源電圧が低下した時に定着ヒータの消費電力を賄うことができない場合がある。この場合、定着性能も低下してしまう。そこで、装置の電源電圧を監視し、標準電圧以下となる電源電圧の低下が検知された場合、定着ヒータ消費電力を抑えるため、単位時間当たりの出力紙の枚数を低減させる技術がある。例えば、特許文献１には、外部電源の電圧変動した時の定着性能効率を向上させる目的で、外部電源電圧を検出し、画像形成速度を制御する画像形成装置が開示されている。
【発明の概要】
【発明が解決しようとする課題】
【０００３】
上記特許文献１では、外部電源部で検出した電圧が所定値以下であると画像形成速度を遅くすることはできるが、使用する用紙の紙サイズ、紙厚を考慮していない。このため、例えば、単位時間当たりに用紙を無駄に出力してしまい、そのような不要な用紙の出力枚数を低減させることができない。
【０００４】
また、電圧変動が大きいということは、標準電圧に対して電圧が低下することもあるし電圧が高くなることもあることを意味する。上記特許文献１のような従来技術では、標準電圧より高くなった場合に、その高くなった電圧を有効に活用するといった考え方は示されていなかった。つまり、そのような場合には出力紙の枚数を増加させて印刷所要時間短縮をはかる等、効率的に用紙を出力することについては考慮されていなかった。
【０００５】
本発明は、上記に鑑みてなされたものであって、電源電圧が変動する環境下でも効率的に用紙を出力することが可能な画像形成装置を提供することを目的とする。
【課題を解決するための手段】
【０００６】
上記課題を解決し、目的を達成するために、本発明にかかる画像形成装置は、供給される電源電圧を検出する電源電圧検出部と、検出された電源電圧が通常動作時の下限値を示す電源電圧以下であるか否か、または検出された電源電圧が通常動作時の上限値を示す電源電圧以上であるか否かを判定し、紙サイズと紙厚との組合せに基づいて、用紙搬送速度または紙間を変更して単位時間当たりの出力紙の枚数を変更するか否かを判断する紙搬送制御部と、を備えることを特徴とする画像形成装置として構成される。
【発明の効果】
【０００７】
本発明によれば、電源電圧が変動する環境下でも効率的に用紙を出力することが可能となる。
【図面の簡単な説明】
【０００８】
【図１】画像形成装置が有する制御部を示すブロック図である。
【図２】電源電圧検出部の検出結果による判断条件の説明図である。
【図３】電源電圧が規定電圧（Vac0）より大きく、規定電圧（Vac1）以下の場合の判断条件である、判断条件（A）の説明図である。
【図４】電源電圧（Vac）が、規定電圧（Vac2）以上の場合の判断条件である、判断条件（B）の説明図である。
【図５】画像形成装置が用紙の出力を制御する処理手順を示すフローチャートである。
【発明を実施するための形態】
【０００９】
以下に添付図面を参照して、本発明にかかる画像形成装置、搬送制御方法の実施の形態を詳細に説明する。本発明にかかる画像形成装置は、ＭＦＰ（Multi-Function Peripheral）等の電子写真方式を用いた様々な画像形成装置に対して適用することができる。
【００１０】
本発明にかかる画像形成装置を適用した画像形成装置１０００は、電源電圧を監視している画像形成装置の用紙出力制御に際して、以下の特徴を有する。すなわち、電源電圧を監視する画像形成装置において、通常動作時の下限値となる規定電圧：Vac1以下の電源電圧低下を検知した時には、紙サイズ、紙厚の組合せから単位時間当たりの出力紙の枚数を低減させるが、通常動作時の上限値となる別の規定電圧：Vac2以上の電源電圧上昇を検知した時には、紙サイズ、紙厚の組合せから単位時間当たりの出力紙の枚数を増加させることが特徴になっている。 
【００１１】
図１は、画像形成装置１０００が有する制御部１００Ａを示すブロック図である。図１では特に示していないが、実際には、画像形成装置１０００は、用紙を搬送するための搬送機構や定着装置等、画像形成装置として一般的に備えるべき構成を有しているものとする。
【００１２】
制御部１００Ａは、プロセッサであるＣＰＵ（Central Processing Unit）１１０と、メモリ１２０と、オペレーションパネル１３０と、定着制御部１４０と、紙搬送制御部１５０と、電源検出部１６０とを備えている。これらの各部は、バス２００により接続されている。
【００１３】
ＣＰＵ１１０は、メモリ１２０内のプログラムに基づいて画像形成装置１００の各部を制御して、画像読取り基本処理を実行する。また、ＣＰＵ１１０は、制御部１００Ａにおいて、電源電圧の低下および上昇の検出手段、出力用紙の移動速度を制御する移動速度変更手段、出力用紙の紙間隔を制御する紙間隔変更手段の機能を実現させる。
【００１４】
メモリ１２０は、ＲＯＭ（Read Only Memory）、ＲＡＭ（Random Access Memory）、ＥＥＰＲＯＭ（Electrically Erasable and Programmable ROM）、ハードディスク等の揮発性、不揮発性の記憶装置から構成される。メモリ１２０は、画像形成装置１００の基本プログラム、後述する電源検出方法、紙搬送制御方法を実行するためのプログラム、及びこれらのプログラムを実行するために必要なシステムデータやその他のデータを記憶するとともに、ＣＰＵ１１０のワークメモリとして利用される。
【００１５】
オペレーションパネル１３０は、スタートキー、ファンクションキー等の各種操作キーが設けられているとともに、表示部、例えば、液晶ディスプレイが設けられている。オペレーションパネル１３０は、ユーザから、操作キーによって画像形成装置１００に目的とする動作を行わせるのに必要な各種命令、出力紙のサイズ、紙厚等の入力操作を受け付ける。また、表示部には、操作キーで入力された各種命令内容や画像形成装置１００からユーザに通知するための各種情報が表示される。
【００１６】
定着制御部１４０は、定着ヒータ（不図示）を制御し、用紙の画像定着部の温度が常に規定の温度以上となるように定着ヒータのON/OFFを制御する。
【００１７】
紙搬送制御部１５０は、駆動モータ（不図示）を制御し、出力紙の搬送タイミング、速度を制御する。紙搬送制御部１５０は、通常動作時は、用紙搬送速度：V1、紙間：I1で用紙を出力するように制御する。また、紙搬送制御部１５０は、後述する電源電圧の検出結果において、電源電圧：Vacと、オペレーションパネル１３０にて設定された紙サイズ：Sおよび紙厚：Tの設定により、用紙搬送を停止、単位時間当たりの出力紙の枚数を低減、増加させるように制御させる。具体的には、図２〜４を用いて後述する。
【００１８】
電源電圧検出部１６０は、外部から供給される装置の電源電圧を監視して検出し、検出した電源電圧を一定数サンプリングし、サンプリング値を元に電源電圧：Vacを算出する。例えば、電源電圧検出部１６０は、複数のサンプリング値の平均値を電源電圧：Vacとする。
【００１９】
図２は、電源電圧検出部１６０の検出結果による判断条件の説明図である。図２に示すように、紙搬送制御部１５０は、電源電圧検出部１６０が算出した電源電圧：Vacが、動作停止時の閾値となる規定電圧：Vac0以下の場合は動作を停止させ、電源電圧：Vacが規定電圧：Vac0より大きく、規定電圧：Vac1以下の場合、判断条件：Aにて、単位時間当たりの出力紙の枚数を低減させるかを判断する第１の判断処理を実行する(図３を用いて後述)。
【００２０】
また、紙搬送制御部１５０は、電源電圧：Vacが規定電圧：Vac2以上の場合、判断条件：Bにて単位時間当たりの出力紙の枚数を増加させるかを判断する第２の判断処理を実行する(図４を用いて後述)。上記のどの電源電圧条件にも当てはまらない場合、紙搬送制御部１５０は、通常動作(用紙搬送速度：V1、紙間：I1)で用紙を出力する。
【００２１】
図３は、電源電圧：Vacが、規定電圧：Vac0より大きく、規定電圧：Vac1以下の場合の判断条件である、判断条件：Aの説明図である。図３に示すように、紙搬送制御部１５０は、オペレーションパネル１３０にて設定された紙サイズ：Sが規定サイズ：S1以上、または紙厚：Tの設定が規定の紙厚：T1以上の場合、あるいはこれらの両方を満たす場合、通常動作での用紙搬送速度：V1よりも遅い用紙搬送速度：V0、または通常動作での紙間I1よりも間隔が長い紙間：I0に変更する事で単位時間当たりの出力紙の枚数を低減させ、それ以外の設定値の場合は通常動作(用紙搬送速度：V1、紙間：I1)で用紙を出力する。
【００２２】
図４は、電源電圧：Vacが、規定電圧：Vac2以上の場合の判断条件である、判断条件：Bの説明図である。図４に示すように、紙搬送制御部１５０は、オペレーションパネル１３０にて設定された紙サイズ：Sが規定サイズ：S２より小さい、かつ紙厚：Tの設定が規定の紙厚：T２より小さい場合、通常動作での用紙搬送速度：V1よりも速い用紙搬送速度：V2、または通常動作での紙間I1よりも間隔が短い紙間：I2に変更する事で単位時間当たりの出力紙の枚数を増加させ、それ以外の設定値の場合は通常動作(用紙搬送速度：V1、紙間：I1)で出力する。
【００２３】
図５は、画像形成装置１０００が用紙の出力を制御する処理手順を示すフローチャートである。図５に示すように、電源電圧検出部１６０は、外部から供給される装置の電源電圧を一定数サンプリングすると(Ｓ１００)、サンプリングされた値を元に電源電圧：Vacを算出する(Ｓ１０１)。紙搬送制御部１５０は、算出された電源電圧：Vacが規定電圧：Vac0以下であるか否かを判定し（Ｓ１０２）、算出された電源電圧：Vacが規定電圧：Vac0以下であると判定した場合（Ｓ１０２；Ｙｅｓ）、用紙の搬送動作を停止させる(Ｓ１１０)。この場合、搬送制御部１５０は、規定電圧：Vac0以下の電源電圧：Vacの検知がコピーまたはプリント動作前の場合には動作を開始せず、コピーまたはプリント動作中の場合は出力紙を所定の退避位置で停止させ、電源電圧がVac1以上になった場合に、再度動作を開始させてもよい。このような制御により、コピーまたはプリント線速を低下させても定着性を満足できない電源電圧まで低下している場合、未定着のコピーまたはプリント用紙の発生を抑制することができる。
【００２４】
一方、紙搬送制御部１５０は、算出された電源電圧：Vacが規定電圧：Vac0以下でないと判定した場合（Ｓ１０２；Ｎｏ）、さらに、電源電圧：Vacが、規定電圧：Vac1以下であるか否かを判定する（Ｓ１０３）。具体的には、紙搬送制御部１５０は、判断条件：Aにて、単位時間当たりの出力紙の枚数を低減させるか否かを判断する。
【００２５】
紙搬送制御部１５０は、電源電圧：Vacが、規定電圧：Vac1以下であると判定した場合（Ｓ１０３；Ｙｅｓ）、Ｓ１２０に進む。一方、紙搬送制御部１５０は、電源電圧：Vacが、規定電圧：Vac1以下でないと判定した場合（Ｓ１０３；Ｎｏ）、さらに、電源電圧：Vacが、規定電圧：Vac2以上であるか否かを判定する（Ｓ１０４）。具体的には、紙搬送制御部１５０は、判断条件：Bにて、単位時間当たりの出力紙の枚数を増加させるかを判断する。
【００２６】
紙搬送制御部１５０は、電源電圧：Vacが、規定電圧：Vac2以上であると判定した場合（Ｓ１０４；Ｙｅｓ）、Ｓ１３０に進む。一方、電源電圧：Vacが、規定電圧：Vac2以上でないと判定した場合（Ｓ１０４；Ｎｏ）、すなわち、上記のどの電源電圧条件にも当てはまらない場合、紙搬送制御部１５０は、通常動作(用紙搬送速度：V1、紙間：I1)で用紙を出力する(Ｓ１０５)。
【００２７】
Ｓ１２０において、紙搬送制御部１５０は、オペレーションパネル１３０にて設定された紙サイズ：S、または紙厚：Tを、ＣＰＵ１１０を介してオペレーションパネル１３０から取得する（Ｓ１２０）。紙搬送制御部１５０は、判断条件：Ａとして、オペレーションパネル１３０にて設定された紙サイズ：Sが規定サイズ：S1以上、または紙厚：Tの設定が規定の紙厚：T1以上であるか、あるいはこれらの両方を満たすか否かを判定する（Ｓ１２１）。
【００２８】
紙搬送制御部１５０は、紙サイズ：Sが規定サイズ：S1以上、または紙厚：Tの設定が規定の紙厚：T1以上、あるいはこれらの両方を満たすと判定した場合（Ｓ１２１；Ｙｅｓ）、用紙搬送速度：V0、または紙間：I0に変更して用紙を出力する（Ｓ１２２）。紙搬送制御部１５０がこのような制御をすることで、単位時間当たりの出力紙の枚数を低減させることができる。
【００２９】
一方、紙搬送制御部１５０は、紙サイズ：Sが規定サイズ：S1以上、または紙厚：Tの設定が規定の紙厚：T1以上でない、あるいはこれらの両方を満たす場合でないと判定した場合（Ｓ１２１；Ｎｏ）、Ｓ１０５に進み、通常動作(用紙搬送速度：V1、紙間：I1)で用紙を出力する。
【００３０】
Ｓ１３０において、紙搬送制御部１５０は、Ｓ１２０の場合と同様に、オペレーションパネル１３０にて設定された紙サイズ：S、または紙厚：Tを、ＣＰＵ１１０を介して制御部オペレーションパネル１３０から取得する（Ｓ１３０）。紙搬送制御部１５０は、判断条件：Ｂとして、オペレーションパネル１３０にて設定された紙サイズ：Sが規定サイズ：S2より小さい、かつ紙厚：Tの設定が規定の紙厚：T2より小さいか否かを判定する（Ｓ１３１）。
【００３１】
紙搬送制御部１５０は、紙サイズ：Sが規定サイズ：S2より小さい、かつ紙厚：Tの設定が規定の紙厚：T2より小さいと判定した場合（Ｓ１３１；Ｙｅｓ）、用紙搬送速度：V2、または紙間：I2に変更して用紙を出力する（Ｓ１３２）。紙搬送制御部１５０がこのような制御をすることで、単位時間当たりの出力紙の枚数を増加させることができる。
【００３２】
一方、紙搬送制御部１５０は、紙サイズ：Sが規定サイズ：S2より小さくない、または紙厚：Tの設定が規定の紙厚：T2より小さくないと判定した場合（Ｓ１３１；Ｎｏ）、Ｓ１０５に進み、通常動作(用紙搬送速度：V1、紙間：I1)で出力する。
【００３３】
このように、本実施例における画像形成装置１０００によれば、電源電圧検出部１６０が、供給される電源電圧を検出し、紙搬送制御部１５０が、検出された電源電圧が通常動作時の下限値を示す電源電圧以下であるか否か、または検出された電源電圧が通常動作時の上限値を示す電源電圧以上であるか否かを判定し、紙サイズと紙厚との組合せに基づいて、用紙搬送速度または紙間を変更して単位時間当たりの出力紙の枚数を変更するか否かを判断する。具体的には、通常動作時の下限値となる規定電圧：Vac1以下の電源電圧低下を検知した時には、紙サイズ、紙厚の組合せから単位時間当たりの出力紙の枚数を低減させるが、通常動作時の上限値となる別の規定電圧：Vac2以上の電源電圧上昇を検知した時には、紙サイズ、紙厚の組合せから単位時間当たりの出力紙の枚数を増加させる。このような電源電圧の監視、紙サイズ、紙厚の組合せから出力紙の枚数を制御することで、電源電圧が変動する環境下でも定着性能と出力枚数の低下を抑制できる。
【００３４】
電源電圧の変動が大きいということは、標準電圧に対して電圧が低下することもあるし、電圧が高くなることもあるということを意味するが、本実施例における画像形成装置１０００では、上記のような制御を行うことにより、電源電圧が高い場合には、低い場合の出力枚数の低下分を補うように制御するということを積極的に行おうとするものである。このように、本実施例によれば、電源電圧が変動する環境下でも定着性能を低下させることなく、効率的に用紙を出力することができる。
【００３５】
本実施例における画像形成装置１０００においては、様々な変更が可能である。例えば、紙搬送制御部１５０が、コピーまたはプリント動作中の場合において、上述した第１の判断処理および第２の判断処理を、規定の周期（例えば、１秒周期）で判断してもよい。この場合、動作中に電源電圧が変動した場合でも、自動的に上記判断処理を切り替えることができ、定着性能と出力枚数の低下を抑制しつつ、電圧変動による定着性を向上させることができる。
【００３６】
さらに、紙搬送制御部１５０は、コピーまたはプリントの用紙搬送速度が切り替わった場合、変更後の用紙搬送速度と現在時刻とを参照し、現在時時刻から印刷終了までの時間を算出し、オペレーションパネル１３０または画像形成装置１０００とネットワークを介して接続されたＰＣ（Personal Computer）等の情報処理装置のディスプレイに、その印刷終了時間を示すメッセージ（例えば、あとＸＸ秒で印刷が終了します、あるいはＸＸ時ＹＹ分ＺＺ秒に印刷が終了します等のメッセージ）を表示してもよい。この場合、コピーまたはプリント線速が切り替わった場合であっても、ユーザが出力終了予定時間を容易に確認することができる。
【００３７】
また、紙搬送制御部１５０は、コピーまたはプリント動作前に規定電圧：Vac1以下の電源電圧を検知し、用紙搬送速度：V0、または紙間：I0となる用紙サイズと紙厚の組合せが選択されている場合に、用紙サイズを小さく、または紙厚を薄くして用紙搬送速度：V1、または紙間：I1で出力するか、用紙搬送速度：V0、または紙間：I0のまま出力するか、をユーザに選択させてもよい。用紙サイズ、厚さを拘らない場合は、低電源電圧になった時でも出力枚数の低下を抑制することができる。上記ユーザの選択方法としては、例えば、オペレーションパネル１３０や上記情報処理装置のディスプレイにその旨表示させ、ユーザからの選択を受け付ければよい。
【００３８】
また、紙搬送制御部１５０は、コピーまたはプリント動作前に規定電圧：Vac2以上の電源電圧を検知し、用紙搬送速度：V1、または紙間：I1となる用紙サイズと紙厚の組合せが選択されている場合に、用紙サイズを小さく、または紙厚を薄くして用紙搬送速度：V2、または紙間：I2に変更するか、通常の用紙搬送速度：V1、または紙間：I1のまま出力するか、ユーザに選択させてもよい。用紙サイズ、厚さを拘らない場合は、高電源電圧になった時に出力枚数を増加させることができる。上記ユーザの選択方法としては、例えば、オペレーションパネル１３０や上記情報処理装置のディスプレイにその旨表示させ、ユーザからの選択を受け付ければよい。
【００３９】
さらに、ユーザの使用条件（例えば、一日あたりの印刷枚数、一日における印刷時間帯）や地域条件（例えば、国内地方ごと、あるいは各国ごと）等の処理条件に応じて、規定電圧：Vac0、Vac1、Vac2の値を、設定したり、または変更してもよい。この場合、ユーザの使用条件、地域条件に応じて、最適な規定電圧を設定することができる。
【符号の説明】
【００４０】
１０００              画像形成装置
１００Ａ              制御部
１１０                ＣＰＵ
１２０                メモリ
１３０                オペレーションパネル
１４０                定着制御部
１５０                紙搬送制御部
１６０                電源検出部
２００                バス。
【先行技術文献】
【特許文献】
【００４１】
【特許文献１】特開２００６−１１９１９４号公報
【図１】
2017097182.tif 000003
【図２】
2017097182.tif 000004
【図３】
2017097182.tif 000005
【図４】
2017097182.tif 000006
【図５】
2017097182.tif 000007